(57)【要約】【課題】  簡易な構成で高精度な位置測位が可能な移動通信端末を提供する。【解決手段】  本発明に係る携帯電話１は、ＰＨＳ基地局Ｃと、ＰＨＳ基地局Ｃよりも分布密度の低いＰＤＣ基地局Ｂと、無線接続される。携帯電話１は、制御部２、ＰＨＳ受信部７、及びＰＤＣ無線部８を備える。制御部２は、ＰＨＳ基地局Ｃの受信レベルを測定する。ＰＨＳ受信部７は、ＰＨＳ基地局ＩＤを受信する。ＰＤＣ無線部８は、制御部２により測定された受信レベルを、ＰＨＳ受信部７により受信されたＰＨＳ基地局ＩＤと共に、ＰＤＣ基地局Ｂに送信する。【選択図】  図２
2005286864.tif 000002
【特許請求の範囲】
【請求項１】
第１の移動通信システムに配置された第１基地局と、第２の移動通信システムに配置され、前記第１基地局よりも分布密度の低い第２基地局と、の双方に無線接続された移動通信端末において、
前記第１基地局からの電波の受信レベルを測定する測定手段と、
前記第１基地局の識別情報を受信する識別情報受信手段と、
前記測定手段により測定された前記受信レベルを、前記識別情報受信手段により受信された前記識別情報と共に、前記第２基地局に送信する受信レベル送信手段と
を備えたことを特徴とする移動通信端末。
【請求項２】
前記測定手段は、複数箇所の第１基地局からの電波の受信レベルを測定し、
前記識別情報受信手段は、前記複数箇所の第１基地局それぞれの識別情報を受信し、
前記受信レベル送信手段は、前記測定手段により測定された複数の受信レベルを、前記識別情報受信手段により受信された複数の識別情報と共に、前記第２基地局に送信することを特徴とする請求項１に記載の移動通信端末。
【請求項３】
請求項１に記載の移動通信端末と前記第２基地局を介して通信を行う位置測位サーバであって、
前記移動通信端末の受信レベル送信手段により送信された前記受信レベルと前記識別情報とを受信する受信レベル受信手段と、
前記受信レベル受信手段により受信された前記受信レベルと前記識別情報とに基づいて、前記移動通信端末の位置を推定する位置推定手段と
を備えたことを特徴とする位置測位サーバ。
【請求項４】
前記位置推定手段により推定された位置を示す情報を、前記移動通信端末に送信する位置情報送信手段を更に備えたことを特徴とする請求項３に記載の位置測位サーバ。
【請求項５】
前記位置推定手段により推定された位置に関連する位置関連情報を、前記移動通信端末に送信する位置関連情報送信手段を更に備えたことを特徴とする請求項３に記載の位置測位サーバ。
【請求項６】
前記受信レベル受信手段は、前記移動通信端末の受信レベル送信手段により送信された複数の受信レベルと複数の識別情報を受信し、
前記位置推定手段は、前記受信レベル受信手段により受信された前記複数の受信レベルと前記複数の識別情報とに基づいて、前記移動通信端末の位置を推定することを特徴とする請求項３〜５の何れか一項に記載の位置測位サーバ。
【請求項７】
第１の移動通信システムに配置された第１基地局と、第２の移動通信システムに配置され、前記第１基地局よりも分布密度の低い第２基地局と、の双方に無線接続された移動通信端末と、当該移動通信端末と前記第２基地局を介して通信を行う位置測位サーバとを利用した位置測位方法において、
前記移動通信端末が、前記第１基地局からの電波の受信レベルを測定する測定工程と、
前記移動通信端末が、前記第１基地局の識別情報を受信する識別情報受信工程と、
前記測定工程にて測定された前記受信レベルを、前記識別情報受信工程にて受信された前記識別情報と共に、前記移動通信端末が前記第２基地局に送信する受信レベル送信工程と、
前記受信レベル送信工程にて送信された前記受信レベルと前記識別情報とを、前記位置測位サーバが受信する受信レベル受信工程と、
前記受信レベル受信工程にて受信された前記受信レベルと前記識別情報とに基づいて、前記位置測位サーバが前記移動通信端末の位置を推定する位置推定工程と
を含むことを特徴とする位置測位方法。
【発明の詳細な説明】
【技術分野】
【０００１】
本発明は、移動通信端末、位置測位サーバ、位置測位システム、及び位置測位方法に関する。
【背景技術】
【０００２】
従来、無線通信技術の発達に伴い、移動通信端末の現在位置を推定し、推定結果を位置情報として利用者に通知する位置測位システムが実用化されている。移動通信端末としては、例えば、ＰＨＳ（Personal Handyphone System）、携帯電話等がある。ＰＨＳのセル面積は、携帯電話のセル面積と比較して狭いので、基地局の分布密度は、一般的に、携帯電話よりもＰＨＳの方が高い。このため、ＰＨＳを利用した位置測位システムは、携帯電話を利用した位置測位システムと比較して高精度に位置測位を行うことができる。具体的には、携帯電話による位置測位精度が数１００ｍ程度であるのに対して、ＰＨＳでは数１０ｍ程度である。
【０００３】
一方で、携帯電話には、高速移動時の通信が可能である、通信エリアが広域である等の特長がある。上述した様な、ＰＨＳと携帯電話双方の特長を併有すべく、ＰＤＣ（Personal Digital Cellular）方式の携帯電話とＰＨＳを一体化した移動通信端末が提案されている（例えば、特許文献１参照。）。
【特許文献１】特開平１１−３５５８２８号公報  （第２−３頁）
【発明の開示】
【発明が解決しようとする課題】
【０００４】
しかしながら、上記従来技術では、以下の様な問題点があった。即ち、携帯電話とＰＨＳとでは、使用周波数帯やデータ通信方式が異なるため、使用する基地局も異なる。従って、携帯電話とＰＨＳを一体化した移動通信端末は、携帯電話の基地局と通信を行う無線部に加えて、ＰＨＳの基地局と通信（送信及び受信）を行う無線部を共に備える必要がある。その結果、移動通信端末の回路構成が複雑になり、価格が高くなるという難点があった。
【０００５】
本発明は、上記課題に鑑みてなされたものであり、高精度な位置測位を容易に実現可能な移動通信端末、位置測位サーバ、位置測位システム、及び位置測位方法を提供することを目的とする。
【課題を解決するための手段】
【０００６】
本発明に係る移動通信端末は、第１の移動通信システムに配置された第１基地局（例えば、ＰＨＳ基地局Ｃ）と、第２の移動通信システムに配置され、前記第１基地局よりも分布密度の低い第２基地局（例えば、ＰＤＣ基地局Ｂ）と、の双方に無線接続される。また、移動通信端末は、前記第１基地局からの電波の受信レベルを測定する測定手段と、前記第１基地局の識別情報を受信する識別情報受信手段と、前記測定手段により測定された前記受信レベルを、前記識別情報受信手段により受信された前記識別情報と共に、前記第２基地局に送信する受信レベル送信手段と、を備える。
【０００７】
また、本発明に係る位置測位サーバは、前記移動通信端末と前記第２基地局を介して通信を行う。位置測位サーバは、前記移動通信端末の受信レベル送信手段により送信された前記受信レベルと前記識別情報を受信する受信レベル受信手段と、前記受信レベル受信手段により受信された前記受信レベルと前記識別情報に基づいて、前記移動通信端末の位置を推定する位置推定手段と、前記位置推定手段により推定された前記移動通信端末の位置に関する情報を送信する位置情報送信手段と、を備える。
【０００８】
また、本発明に係る位置測位方法は、第１の移動通信システムに配置された第１基地局と、第２の移動通信システムに配置され、前記第１基地局よりも分布密度の低い第２基地局と、の双方に無線接続された移動通信端末と、当該移動通信端末と前記第２基地局を介して通信を行う位置測位サーバと、を利用している。位置測位方法は、前記移動通信端末が、前記第１基地局からの電波の受信レベルを測定する測定工程と、前記移動通信端末が、前記第１基地局の識別情報を受信する識別情報受信工程と、前記測定工程にて測定された前記受信レベルを、前記識別情報受信工程にて受信された前記識別情報と共に、前記移動通信端末が、前記第２基地局に送信する受信レベル送信工程と、前記受信レベル送信工程にて送信された前記受信レベルと前記識別情報を、前記位置測位サーバが受信する受信レベル受信工程と、前記受信レベル受信工程にて受信された前記受信レベルと前記識別情報に基づいて、前記位置測位サーバが、前記移動通信端末の位置を推定する位置推定工程と、前記位置推定工程にて推定された前記移動通信端末の位置に関する情報を送信する位置情報送信工程と、を含む。
【０００９】
これらの発明によれば、第２基地局に比べて分布密度の高い第１基地局からの電波の受信レベルを利用して移動通信端末の位置を推定する。従って、高精度な位置測位が可能となる。また、移動通信端末は、第１基地局から識別情報のみ受信するので、第１基地局への送信手段は不要である。即ち、本発明に係る移動通信端末は、従来の携帯電話に、第１基地局から識別情報を受信する手段（例えば、ＰＨＳ受信部７）等を追加するという簡易な構成で実現できる。従って、携帯電話とＰＨＳを一体化した移動通信端末に比べて、製造コストや価格を抑えることができる。
【００１０】
また、本発明に係る移動通信端末においては、前記測定手段は、複数箇所の第１基地局からの電波の受信レベルを測定し、前記識別情報受信手段は、前記複数箇所の第１基地局それぞれの識別情報を受信し、前記受信レベル送信手段は、前記測定手段により測定された複数の受信レベルを、前記識別情報受信手段により受信された複数の識別情報と共に、前記第２基地局に送信することが好ましい。
【００１１】
本発明に係る位置測位サーバにおいては、前記受信レベル受信手段は、前記移動通信端末の受信レベル送信手段により送信された複数の受信レベルと複数の識別情報を受信し、前記位置推定手段は、前記受信レベル受信手段により受信された前記複数の受信レベルと前記複数の識別情報に基づいて、前記移動通信端末の位置を推定することが好ましい。
【００１２】
本発明に係る位置測位方法においては、前記移動通信端末が、前記測定工程にて、複数箇所の第１基地局からの電波の受信レベルを測定し、前記識別情報受信工程にて、前記移動通信端末が、前記複数箇所の第１基地局それぞれの識別情報を受信し、前記受信レベル送信工程にて、前記測定工程にて測定された前記複数の受信レベルを、前記識別情報受信工程にて受信された前記複数の識別情報と共に、前記第２基地局に送信し、前記受信レベル受信工程にて、前記受信レベル送信工程にて送信された前記複数の受信レベルと前記複数の識別情報を、前記位置測位サーバが受信することが好ましい。
【００１３】
これらの発明によれば、複数箇所の第１基地局からの電波の複数の受信レベルを測定し、当該複数の受信レベルに基づいて、移動通信端末の位置を推定する。従って、１箇所の第１基地局からの電波の受信レベルを測定する場合に比べて、受信レベルの測定誤差が少ない。その結果、より高精度な位置測位が可能となる。
【００１４】
本発明に係る位置測位サーバにおいては、前記位置推定手段により推定された位置を示す情報を、前記移動通信端末に送信する位置情報送信手段、を更に備えることが好ましい。
【００１５】
また、本発明に係る位置測位方法においては、前記位置推定工程にて推定された位置を示す情報を、前記位置測位サーバが前記移動通信端末に送信する位置情報送信工程、を更に含むことが好ましい。
【００１６】
これらの発明によれば、推定された移動通信端末の位置を示す情報は、移動通信端末に送信される。当該位置を示す情報は、第２基地局よりも分布密度の高い第１基地局からの電波の受信レベルに基づいて推定されたものである。従って、当該位置を示す情報を移動通信端末が受信して表示することにより、移動通信端末のユーザは、現在位置を高精度に把握することができる。
【００１７】
本発明に係る位置測位サーバにおいては、前記位置推定手段により推定された位置に関連する位置関連情報を、前記移動通信端末に送信する位置関連情報送信手段と、を更に備えることが好ましい。
【００１８】
本発明に係る位置測位方法においては、前記位置推定工程にて推定された位置に関連する位置関連情報を、前記位置測位サーバが前記移動通信端末に送信する位置関連情報送信工程と、を更に含むことが好ましい。
【００１９】
これらの発明によれば、移動通信端末に送信される情報は、推定された移動通信端末の位置に関する位置関連情報である。位置関連情報は、例えば、移動通信端末から最寄りの店や駅の位置を地図上にプロットした画像データ等である。この様な位置関連情報を移動通信端末が受信して表示することにより、位置を示す情報をそのまま送信する場合に比べて、移動通信端末のユーザは、簡易迅速に現在位置を知ることができる。
【００２０】
更には、上述した移動通信端末と、上述した位置測位サーバと、を備えて構成され、前記移動通信端末と前記位置測位サーバ間で通信を行う位置測位システムとして構築又は運用してもよい。
【発明の効果】
【００２１】
本発明によれば、第２基地局に比べて分布密度の高い第１基地局からの電波の受信レベルを利用して移動通信端末の位置を推定する。従って、高精度な位置測位が可能となる。また、移動通信端末は、第１基地局から識別情報のみ受信するので、第１基地局への送信手段は不要である。即ち、本発明に係る移動通信端末は、従来の携帯電話に、第１基地局から識別情報を受信する手段等を追加するという簡易な構成で実現できる。従って、携帯電話とＰＨＳを一体化した移動通信端末に比べて、製造コストや価格を抑えることができる。
【発明を実施するための最良の形態】
【００２２】
以下、添付図面を参照して本発明の実施形態を詳細に説明する。
【００２３】
まず、構成を説明する。図１は、本実施形態における位置測位システム１００の全体構成例を示す模式図である。図１に示す様に、位置測位システム１００は、携帯電話１、位置測位サーバ１１、及び位置提示サーバ２１により構成されている。携帯電話１は、ＰＨＳ基地局Ｃを経由してＰＨＳ網Ｎ１に接続されると共に、ＰＤＣ基地局Ｂを経由してＰＤＣ網Ｎ２に接続されている。また、ＰＤＣ網Ｎ２には、位置測位サーバ１１、及び位置提示サーバ２１が有線接続されている。ＰＨＳ網Ｎ１は、周知のＩＳＤＮ網であり、ＰＤＣ網Ｎ２は、周知のパケット通信網である。
【００２４】
ＰＨＳ基地局Ｃは、ＰＨＳとの間でデータを送受信する為の基地局であるが、携帯電話１は、ＰＨＳの周波数帯域に応じた無線受信部を備えることにより、ＰＨＳ基地局Ｃからの信号を受信することも可能である。また、ＰＤＣ基地局Ｂは、携帯電話との間でデータを送受信する為の基地局である。ＰＨＳ基地局Ｃは、１００〜５００ｍ程度の間隔で設置され、ＰＤＣ基地局Ｂは、５００ｍ〜１０ｋｍ程度の間隔で設置される。従って、ＰＨＳ基地局Ｃの分布密度は、ＰＤＣ基地局Ｂの分布密度に比べて高い。尚、ＰＤＣ基地局Ｂは、必ずしもＰＤＣ方式の携帯電話と通信を行う為の基地局とは限らず、ＣＤＭＡ方式の携帯電話と通信を行う為の基地局であってもよい。
【００２５】
以下、図２を参照して、携帯電話１の内部構成について詳説する。図２は、携帯電話１の機能的構成を示すブロック図である。図２に示す様に、携帯電話１は、制御部２（測定手段に対応）、入力部３、ＲＡＭ４、表示部５、記憶部６、ＰＨＳ受信部７（識別情報受信手段に対応）、ＰＤＣ無線部８（受信レベル送信手段に対応）、切替部９、及び音声処理部１０により構成され、各部はバスを介して各種信号の入出力が可能な様に接続されている。
【００２６】
制御部２は、ＲＯＭ（Read Only Memory）２ａを内蔵し、ＲＯＭ２ａに予め記憶されているプログラムを読み出してＲＡＭ４に展開し、当該プログラムに従って各部を集中制御する。即ち、制御部２は、入力部３からの入力信号とＲＡＭ４に展開したプログラムに従って、後述する位置測位処理（図７参照）を実行し、その処理結果をＲＡＭ４に一時的に記憶すると共に表示部５に表示させる。そして、ＲＡＭ４に記憶した処理結果を必要に応じて記憶部６内の所定の領域に格納させる。
【００２７】
入力部３は、位置測位要求、電源のON/OFF、機能の選択等を指示する各種操作釦を備えて構成され、これら各種操作釦は、単独で又は組み合せて押下されることにより、指示内容に応じた入力信号を制御部２に出力する。
【００２８】
ＲＡＭ（Random Access Memory）４は、半導体等により構成され、制御部２により実行される各種処理において、ＲＯＭ２ａから読み出されたプログラムや記憶部６から読み出されたデータを一時的に格納する。また、ＲＡＭ４は、表示部５に表示するデータを一時的に記憶するＶＲＡＭ（Video RAM）の機能も併有する。
【００２９】
また、ＲＡＭ４は、後に詳述する位置測位処理の実行に際して、受信レベル格納領域４１を一時的に形成する。以下、図３を参照して、受信レベル格納領域４１内部のデータ格納例について説明する。
【００３０】
受信レベル格納領域４１は、ＰＨＳ基地局ＩＤ格納部４１ａと受信レベル格納部４１ｂを少なくとも備えて構成される。ＰＨＳ基地局ＩＤ格納部４１ａは、ＰＨＳ基地局Ｃを識別する為に一意的に割り当てられたデータ（例えば、“001”、“003”、“006”）を「ＰＨＳ基地局ＩＤ」として格納する。ＰＨＳ基地局ＩＤは、ＰＨＳ基地局Ｃが送信する報知情報に含まれている。受信レベル格納部４１ｂは、携帯電話１とＰＨＳ基地局Ｃ間における電波強度を示す数値データ（例えば、“100”、“80”、“50”）を「受信レベル」として格納する。ＰＨＳ基地局ＩＤと受信レベルは、対応付けて格納される。
【００３１】
表示部５は、ＬＣＤ（Liquid Crystal Display）やＥＬ（Electro Luminescence）等により構成され、制御部２から入力される表示信号に従って画面上に、位置情報等の表示データの表示を行う。
【００３２】
記憶部６は、ＥＥＰＲＯＭ（Electrically Erasable and Programmable ROM）等の不揮発性の半導体メモリにより構成され、制御部２により実行される各種処理に必要なデータや生成されたデータ等を記憶する。
【００３３】
ＰＨＳ受信部７は、信号の変復調を行う変復調部（図示せず）と信号の符復号化を行う符復号部（図示せず）を有する回路であり、アンテナ７ａを備える。アンテナ７ａは、携帯電話１の筐体上部に伸縮可能に設けられ、ＰＨＳ基地局Ｃからデータを受信する。変復調部は、アンテナ７ａから入力された信号を、符復号部が処理可能な信号に復調する処理を行う。また、符復号部は、コーデック（CODEC）により構成され、変復調部から入力されたデジタル信号をアナログ信号に変換する処理（復号化）を行う。
【００３４】
ＰＤＣ無線部８は、ＰＨＳ受信部７と基本的構成を同様とするが、送信機能を有する点において相違する。即ち、ＰＤＣ無線部８は、信号の変復調を行う変復調部（図示せず）と信号の符復号化を行う符復号部（図示せず）を有する回路であり、アンテナ８ａを備える。アンテナ８ａは、携帯電話１の筐体上部に伸縮可能に設けられ、ＰＤＣ基地局Ｂとデータの送受信を行う。
【００３５】
変復調部は、受信時には、アンテナ８ａから入力された信号を、符復号部が処理可能な信号に復調する処理を行う。一方、送信時には、符復号部で変換されたデジタル信号を、無線送信可能な信号に変調する処理を行う。また、符復号部は、コーデックにより構成され、受信時には、変復調部から入力されたデジタル信号をアナログ信号に変換する処理（復号化）を行う。一方、送信時には、音声信号等のアナログ信号をデジタル信号に変換する処理（符号化）を行い、変換したデジタル信号を送信に適したデータ量に圧縮する。
【００３６】
切替部９は、制御部２から入力される指示信号に従って、ＰＨＳ受信部７又はＰＤＣ無線部８の何れか一方の回路を接続状態に切り替える回路である。即ち、制御部２とＰＨＳ受信部７間における信号の入出力は、切替部９を介して行われる。同様に、制御部２とＰＤＣ無線部８間における信号の入出力は、切替部９を介して行われる。
【００３７】
音声処理部１０は、変換器、増幅器等により構成され、マイク１０ａ、スピーカ１０ｂを備える。音声処理部１０は、通話時に、制御部２から入力される音声データを変換器でアナログ信号に変換し、増幅器を介してスピーカ１０ｂから放音する。また、音声処理部１０は、通話時に、マイク１０ａから入力される音声信号を変換器により無線通信可能なデジタル信号に変換し、切替部９を経由してＰＤＣ無線部８に出力する。
【００３８】
次に、図４を参照して位置測位サーバ１１の内部構成を説明する。図４は、位置測位サーバ１１の機能的構成を示すブロック図である。図４に示す様に、位置測位サーバ１１は、ＣＰＵ１２（位置推定手段に対応する）、入力部１３、表示部１４、通信制御部１５（受信レベル受信手段、位置情報送信手段、及び位置関連情報送信手段に対応する）、ＲＡＭ１６、及び記憶部１７により構成され、各部はバスにより接続されているコンピュータである。
【００３９】
ＣＰＵ（Central Processing Unit）１２は、記憶部１７に記憶されている各種プログラムを読み出してＲＡＭ１６に展開し、該プログラムに従って各部の動作を集中制御する。また、ＣＰＵ１２は、ＲＡＭ１６に展開したプログラムに従って、後述する位置測位処理（図７参照）を実行し、その処理結果をＲＡＭ１６に格納すると共に表示部１４に表示させる。そして、ＲＡＭ１６に格納した処理結果を記憶部１７の所定の保存先に保存させる。
【００４０】
入力部１３は、文字・数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ１２に出力する。
【００４１】
表示部１４は、ＬＣＤ（Liquid Crystal Display）やＣＲＴ（Cathode Ray Tube）により構成され、ＣＰＵ１２から入力される表示信号の指示に従って画面上に各種情報の表示を行う。
【００４２】
通信制御部１５は、ＰＤＣ網Ｎ２を介してＰＤＣ基地局Ｂに接続され、携帯電話１との間でデータの送受信を行う。
【００４３】
ＲＡＭ（Random Access Memory）１６は、ＣＰＵ１２により実行制御される各種処理において、記憶部１７から読み出された、位置測位サーバ１１で実行可能な各種プログラム、入力若しくは出力データ、及びパラメータ等の一時的な格納領域を形成する。
【００４４】
記憶部１７は、後述する位置測位処理の実行に必要なプログラムを格納する。記憶部１７は、図５に示す様に、後述する距離テーブル１７１と位置テーブル１７２を少なくとも有する。以下、各テーブル内部のデータ格納例について、図５〜図６を参照して詳細に説明する。
【００４５】
図５は、距離テーブル１７１は、携帯電話とＰＨＳ基地局間における受信レベルと距離の対応関係を参照可能なテーブルである。距離テーブル１７１は、受信レベル格納領域１７１ａと距離格納領域１７１ｂを少なくとも備えて構成される。受信レベル格納領域１７１ａは、電波強度を示す数値データの範囲（例えば、“0”、“1〜5”、“6〜10”、…）を「受信レベル」として格納する。距離格納領域１７１ｂは、携帯電話１とＰＨＳ基地局Ｃ間の距離を示す数値データの範囲（例えば、“501以上”、“481〜500”、“461〜480”、…）を「距離」として格納する。
【００４６】
図６は、位置テーブル１７２は、ＰＨＳ基地局ＩＤ格納領域１７２ａと受信レベル格納領域１７２ｂを少なくとも備えて構成される。ＰＨＳ基地局ＩＤ格納領域１７２ａは、ＰＨＳ基地局Ｃを識別する為に一意的に割り当てられたデータ（例えば、“001”、“002”、“003”、…）を「ＰＨＳ基地局ＩＤ」として格納する。受信レベル格納領域１７２ｂは、ＰＨＳ基地局Ｃが設置されている位置の経度と緯度を示すデータ（例えば、“N:34.44.06、E:135.34.34”、“N:34.44.20、E:135.34.36”、…）を「経度・緯度」として格納する。ＰＨＳ基地局ＩＤと経度・緯度は、対応付けて格納される。
【００４７】
以上、本発明に係る位置測位システム１００を構成する携帯電話１と位置測位サーバ１１の構成について説明したが、より好適な形態で本発明を実施する為に必要な位置提示サーバ２１の要部構成は、位置測位サーバ１１の要部構成と同一である為、各構成部分には同列の符号を付し、その構成の図示及び説明は省略する。即ち、位置提示サーバ２１は、ＣＰＵ２２、入力部２３、表示部２４、通信制御部２５、ＲＡＭ２６、及び記憶部２７により構成され、各部はバスにより接続されている。
【００４８】
次に、図７を参照して本実施形態における動作を説明する。図７は、位置測位処理を説明する為のフローチャートである。まずＳ１では、制御部２は、携帯電話１の現在位置の測位を要求する。この要求は、携帯電話１のユーザが入力部３を介して行うものとしてもよいし、例えば、位置測位サーバ１１等の外部機器からの信号の受信に伴って、制御部２が自動的に行うものとしてもよい。
【００４９】
次のＳ２では、制御部２は、通信手段をＰＤＣ無線部８からＰＨＳ受信部７に切り替える。この切替え処理は、切替部９により行う。通信手段がＰＨＳ受信部７に切り替えられると、制御部２は、携帯電話１の周辺に位置するＰＨＳ基地局Ｃの受信レベルの測定を開始する（Ｓ３）。
【００５０】
受信レベルの測定方法は、従来のＰＨＳにおいて周知であるので、詳細な説明は省略するが、ＰＨＳ基地局Ｃとアンテナ７ａ間における電波強度を、ＰＨＳ受信部７を介して制御部２が監視することにより行う。また、受信レベルを測定は、位置測位精度の観点から、少なくとも３箇所のＰＨＳ基地局Ｃに関して行うことが望ましい。
【００５１】
次のＳ４では、ＰＨＳ基地局Ｃが、対応するＰＨＳ基地局ＩＤを携帯電話１に送信する。携帯電話１は、ＰＨＳ受信部７によりＰＨＳ基地局ＩＤを受信し、受信したＰＨＳ基地局ＩＤを、Ｓ３で測定した受信レベルと対応付けて、受信レベル格納領域４１内部の各格納部に格納する（Ｓ５）。その結果、図３に示した様に、例えば３種類のＰＨＳ基地局ＩＤと受信レベルが格納される。
【００５２】
次のＳ６では、制御部２は、通信手段をＰＨＳ受信部７からＰＤＣ無線部８に切り替える。この切替え処理は、切替部９により行う。通信手段がＰＤＣ無線部８に切り替えられると、携帯電話１は、ＰＨＳ基地局ＩＤと受信レベルを位置測位サーバ１１に送信する（Ｓ７）。この送信処理は、制御部２がＰＤＣ無線部８を介して行う。
【００５３】
次のＳ８では、位置測位サーバ１１は、通信制御部１５により、ＰＨＳ基地局ＩＤと受信レベルを受信する。そして、ＣＰＵ１２は、受信したＰＨＳ基地局ＩＤと受信レベルに基づいて、携帯電話１の経度及び緯度の算出を行う（Ｓ９）。経度と緯度の算出処理は、例えば以下の様にして実行される。
【００５４】
即ち、ＣＰＵ１２は、図５に示した距離テーブル１７１に格納されている距離データを参照して、各ＰＨＳ基地局ＩＤに対応するＰＨＳ基地局Ｃと携帯電話１間の距離を推定する。この処理は、受信したＰＨＳ基地局ＩＤの数と同じ回数分実行される。例えば、位置測位サーバ１１が３種類のＰＨＳ基地局ＩＤを受信した場合には、各ＰＨＳ基地局Ｃを中心とし、推定した距離を半径とする３つの円が重なる領域が、携帯電話１の相対的な位置と推定できる。
【００５５】
続いて、ＣＰＵ１２は、図６に示した位置テーブル１７２に格納されている経緯度データをＲＡＭ１６に読み出す。そして、ＣＰＵ１２は、上記推定した携帯電話１の相対的な位置と、上記読み出した経緯度データに基づいて、携帯電話１の経度と緯度を算出する。
【００５６】
次のＳ１０では、位置測位サーバ１１は、算出した経度と緯度を位置情報として、携帯電話１に送信する。最後に、携帯電話１は、位置情報をＰＤＣ無線部８により受信し（Ｓ１１）、所定の表示形態で表示部５に表示して（Ｓ１２）、一連の位置測位処理を終了する。
【００５７】
尚、Ｓ１１〜Ｓ１２において、携帯電話１が位置情報を受信して表示する例について説明したが、必ずしも位置情報自体を受信しなくてもよい。即ち、ＰＤＣ網Ｎ２に接続された位置提示サーバ２１が、位置測位サーバ１１から位置情報を一旦受信し、受信した位置情報に基づいて所望の表示データを生成するものとしてもよい。表示データは、携帯電話１に格納されたソフトウェアに応じて任意に適用可能であるが、例えば、携帯電話１が、最寄りの店や駅の位置を地図上にプロットして提示する。これにより、位置情報をそのまま表示する場合に比べて、ユーザは、簡易迅速に現在位置を知ることができる。
【００５８】
以上説明した様に、本実施形態における位置測位システム１００によれば、携帯電話１は、ＰＤＣ基地局Ｂに比べて分布密度の高いＰＨＳ基地局Ｃの受信レベルを利用して携帯電話１の現在位置を推定する。従って、高精度な位置測位が可能となる。また、携帯電話１は、ＰＨＳ基地局ＣからＰＨＳ基地局ＩＤのみ受信する。従って、ユーザは、ＰＨＳを使用する為の回線契約を結ぶ必要がない。その結果、携帯電話とＰＨＳを一体化した移動通信端末を利用する場合に比べて、契約手数料や回線使用料が安く、回線契約の手続きも容易である。また、携帯電話１の構成は、ＰＨＳ受信部７及び切替部９を追加した点を除き、従来の携帯電話と同様である。従って、携帯電話とＰＨＳを一体化した移動通信端末に比べて構成が簡易であり、製造コストや価格を抑えられる。
【００５９】
尚、本実施形態に記載の態様は、本発明に係る位置測位システムの好適な一例であり、これに限定されるものではない。例えば、本実施形態では、位置測位サーバ１１と位置提示サーバ２１を別体として構成したが、各サーバは同体であってもよい。即ち、位置測位サーバ１１が、推定した位置に基づいて表示データを生成し、携帯電話１に送信するものとしてもよい。これにより、システムの構成が簡易になると共に、位置の推定から送信までの時間を短縮できる。
【図面の簡単な説明】
【００６０】
【図１】位置測位システムの全体構成例を示す模式図である。
【図２】携帯電話の機能的構成を示すブロック図である。
【図３】受信レベル格納領域内のデータ格納例を示す図である。
【図４】位置測位サーバの機能的構成を示すブロック図である。
【図５】距離テーブル内のデータ格納例を示す図である。
【図６】位置テーブル内のデータ格納例を示す図である。
【図７】位置測位処理を説明するフローチャートである。
【符号の説明】
【００６１】
１…携帯電話、２…制御部、３…入力部、４…ＲＡＭ、４１…受信レベル格納領域、５…表示部、６…記憶部、７…ＰＨＳ受信部、８…ＰＤＣ無線部、９…切替部、１０…音声処理部、１１…位置測位サーバ、１２…ＣＰＵ、１３…入力部、１４…表示部、１５…通信制御部、１６…ＲＡＭ、１７…記憶部、１７１…位置テーブル、１７２…距離テーブル、２１…位置提示サーバ、１００…位置測位システム、Ｂ…ＰＤＣ基地局、Ｃ…ＰＨＳ基地局
【図１】
2005286864.tif 000003
【図２】
2005286864.tif 000004
【図３】
2005286864.tif 000005
【図４】
2005286864.tif 000006
【図５】
2005286864.tif 000007
【図６】
2005286864.tif 000008
【図７】
2005286864.tif 000009